(57)【要約】【課題】載置台の所定位置の下面に音源と励磁用コイルを配置し、載置物に振動体を取り付けて、その載置物を励磁用コイルの上方に載置するだけで所望の音が聞こえるようにする音発生装置を提供しようとする。【解決手段】テーブル２と、該テーブル２の下面に取り付けられる励磁ユニット１０と該励磁ユニット１０に接続される音源ユニット２０と、載置物４０の下面に取り付けられる振動ユニット３０からなる音発生装置１であって、前記励磁ユニット１０と前記振動ユニット３０が対向して配置された時に載置物４０から音が発生するとともに、励磁ユニット１０と振動ユニット３０にはそれぞれ励磁側位置決め部材１３と振動側位置決め部材３２が配置される。【選択図】図１
0003208893.tif 000002
【実用新案登録請求の範囲】
【請求項１】
載置台と、該載置台の下面に取り付けられる励磁ユニットと該励磁ユニットに接続される音源ユニットと、載置物の下面に取り付けられる振動ユニットからなる音発生装置であって、前記励磁ユニットと前記振動ユニットが対向して配置された時に載置物から音が発生するとともに、励磁ユニットと振動ユニットにはそれぞれ励磁側位置決め部材と振動側位置決め部材が配置されることを特徴とする音発生装置。
【請求項２】
前記振動ユニットには載置物を振動させる振動体が備えられ、前記載置台の下面には励磁コイルが複数異なる位置に配置され、各励磁コイルには異なる音信号が入力されることを特徴とする請求項１に記載の音発生装置。
【請求項３】
前記振動ユニットには振動体が備えられ、該振動体は器の底面に固定されることを特徴とする請求項１または請求項２に記載の音発生装置。
【考案の詳細な説明】
【技術分野】
【０００１】
本考案は、テーブル等の載置台の所定位置に、所定の物を置くと音が発生するようにする技術である。
【背景技術】
【０００２】
従来、所定の空間にユーザが入ると、音楽コンテンツや映像コンテンツや照明を選択して、その音楽や映像を楽しめるようにした技術が公知となっている。（例えば、特許文献１参照）。
【先行技術文献】
【特許文献】
【０００３】
【特許文献１】特開２００３−２７１６３５号公報
【考案の概要】
【考案が解決しようとする課題】
【０００４】
しかし、前記特許文献１における技術の場合、ユーザは予めサーバに嗜好情報を登録しておく必要があり、ユーザを認証できるように、ユーザＩＤを取得し、端末やＩＤタグ等も必要である。また、ユーザが利用する空間においては、設置者がインターネット環境を整え、サーバと通信する装置や、入口にはユーザを認識するための読み取り装置等が必要であり、ユーザ及び空間を提供する施設には、多種の装置と煩わしい手続きが必要となり、コストの負担が大きかった。
【０００５】
本考案は以上の如き状況に鑑みてなされたものであり、載置台の所定位置の下面に音源と励磁用コイルを配置し、載置物に振動体を取り付けて、その載置物を励磁用コイルの上方に載置するだけで所望の音が聞こえるようにする音発生装置を提供しようとするものである。
【課題を解決するための手段】
【０００６】
本考案の解決しようとする課題は以上の如くであり、次にこの課題を解決するための手段を説明する。
【０００７】
即ち、請求項１においては、載置台と、該載置台の下面に取り付けられる励磁ユニットと該励磁ユニットに接続される音源ユニットと、載置物の下面に取り付けられる振動ユニットからなる音発生装置であって、前記励磁ユニットと前記振動ユニットが対向して配置された時に載置物から音が発生するとともに、励磁ユニットと振動ユニットにはそれぞれ励磁側位置決め部材と振動側位置決め部材が配置されるものである。
請求項２においては、前記振動ユニットには載置物を振動させる振動体が備えられ、前記載置台の下面には励磁コイルが複数異なる位置に配置され、各励磁コイルには異なる音信号が入力されるものである。
請求項３においては、前記振動ユニットには振動体が備えられ、該振動体は器の底面に固定されるものである。
【考案の効果】
【０００８】
本考案の効果として、以下に示すような効果を奏する。
請求項１のように構成することで、載置台ごとに異なる音を発生させることができ、利用者にとっては認証等が不要で、設置者は簡単に音源を提供でき、利用者は簡単に好みの音源を聞くことができる。そして、載置物を載置台上の所定位置に載置したときに、位置決め部材により振動体が励磁ユニットの上方に確実に位置させることができるようになり、振動体と励磁コイルの上下方向の位置が一致して確実に音を発生させることができるようになる。そして、その音を聞きたくない場合には、振動体の位置をずらすだけで容易に音の発生を停止させることができる。また、載置台がテーブルのとき、テーブル毎に異なる説明や音楽を流すことが可能となり、聞きたい目的に応じてテーブルを選択することもできる。
【０００９】
請求項２のように構成することで、励磁コイル毎に異なる音楽や音声を発生するようにでき、音の種類に対応する載置物を載置したときに、所定の音を発生させることができ、好みの音源を選択することができる。
【００１０】
請求項３のように構成することで、食器や花瓶等の器ごとに異なる音を発生させることができるようになり、器に応じた説明も可能となる。
【図面の簡単な説明】
【００１１】
【図１】音発生装置の概略図。
【図２】テーブル上に皿と花瓶を載置下状態を示す斜視図。
【図３】励磁ユニットの平面図。
【図４】載置物の下方斜視図。
【図５】励磁ユニットの他の実施例の平面図。
【図６】振動ユニットの他の実施例の側面図。
【考案を実施するための形態】
【００１２】
まず、音発生装置１の基本構成から説明する。図１に示すように、音発生装置１は、励磁ユニット１０と音源ユニット２０と振動ユニット３０より構成される。
【００１３】
励磁ユニット１０は、図１、図２、図３に示すように、取付基台１１と、該取付基台１１の中央部に取り付けられる励磁コイル１２と、取付基台１１の外周部に取り付けられる励磁側位置決め部材１３・１３・・・より構成される。取付基台１１は枠状または箱状に構成され、テーブル等の物体を載置できる載置台の上板の下面（裏面）に取付基台１１が取り付けられる。本実施形態では、載置台をテーブル２として説明する。
【００１４】
励磁コイル１２は、取付基台１１の上面の所定位置に固定される。この所定位置は、励磁ユニット１０の上方に載置される載置物３３に取り付けられた振動体３１の位置に合わせて取り付けられる。つまり、後述する励磁側位置決め部材１３と振動側位置決め部材３２を一致させたときに、励磁コイル１２と振動体３１が平面視で一致するように配設する。本実施形態では、取付基台１１の中央部に励磁コイル１２が取り付けられる。前記励磁コイル１２は円筒状のボビンにエナメル線等の導線を巻いたものであり、ボビンの軸心は上下方向を向くように取付基台１１に固定され、中心部の磁束が上下方向を向くようにしている。導線は音源ユニット２０と接続される。
【００１５】
励磁側位置決め部材１３は、磁石により構成され、取付基台１１の周囲の所定位置に複数箇所配置される。該励磁側位置決め部材１３は柱状に構成され、励磁側位置決め部材１３の上面がテーブル２の下面の所定位置に固定される。励磁側位置決め部材１３は少なくとも二ヶ所以上取付基台１１に配置され、振動ユニット３０（載置物４０）をテーブル２上に載置したときに、音が出る位置に容易に位置が決められるようにしている。
【００１６】
前記音源ユニット２０は、音源２１と電源回路２２からなる。音源２１は電源回路２２と励磁コイル１２に接続される。音源２１としては、挨拶や説明等の音声や、音楽や、自然界の音等を録音したＣＤやテープやハードディスクやＳＤ等のメモリ媒体等からデータを得て音信号を発するものである。音源２１からは常時出力してもよい。また、載置物４０が所定の位置に載置されときに再生するようにしてもよい。この場合、励磁側位置決め部材１３の近傍またはそれ自体にスイッチ１４を設けて、スイッチ１４は音源ユニット２０（電源回路２２）と接続し、載置物４０がテーブル２の所定位置に載せられるとスイッチ１４がオンして音源２１から音信号が出力されるようにする。但し、音源ユニット２０に音量調節手段を設けてもよい。また、音源ユニット２０はテーブル２以外の位置に配置することも可能である。また、音源ユニット２０はラジカセやＣＤプレーヤやデジタルオーディオプレーヤやパーソナルコンピュータ等で構成してもよい。
【００１７】
振動ユニット３０は、振動体３１と振動側位置決め部材３２と載置物４０からなる。
振動体３１は円柱状の磁石、または、鉄やニッケルを磁化させた磁化部材とされ、本実施形態では、永久磁石が用いられ、フェライト磁石やネオジム磁石等で構成される。振動体３１は図４に示すように、花瓶や皿やコップ等の器（載置物４０）の底面に取り付けられる。本実施形態では、安定して音が出せるように、底部の中央付近に配置される。また、図６(ａ)に示すように、振動体３１が載置物４０に容易に接着したり、音の特性を変更するために弾性部材３３を振動体３１と載置物４０との間に介装することもできる。
【００１８】
振動側位置決め部材３２は、前記励磁側位置決め部材１３と同様に磁石により構成され、載置物４０の下面（底面）に配置される。本実施形態では載置物４０（器）を安定して固定できるように、底部の周囲の所定位置に複数箇所固定される。該振動側位置決め部材３２は柱状に構成され、前記励磁側位置決め部材１３と吸着するように、振動側位置決め部材３２の下部の磁性(例えばＳ極)が励磁側位置決め部材１３の上部の磁性(例えばＮ極)と反対となるように固定される。振動側位置決め部材３２は本実施形態では、同心上に四ヶ所配置しているが個数は限定するものではない。また、図６(ｂ)に示すように、振動側位置決め部材３２が載置物４０に容易に接着できるように、弾性部材３３を振動側位置決め部材３２と載置物４０との間に介装することもできる。また、図６（ｃ）に示すように、振動体３１、振動側位置決め部材３２、弾性部材３３を皿の底部内に埋め込み、外側からは見えないようにして、外観を向上することもできる。
【００１９】
載置物４０は、本実施形態では皿としているが、テーブル２に載せられるものであれば、コップ、花瓶、ポット、調味料入、箸置き、茶碗、茶托、コースター、ボウル、その他の容器、装飾品、展示物、衝撃を緩和する座等であってもよい。その載置物４０の下面にそれぞれ振動体３１と振動側位置決め部材３２・３２・・・が固定される。
【００２０】
このような構成において、喫茶店のテーブル２の下面に励磁ユニット１０と音源ユニット２０が取り付けられ、載置物４０はコーヒーカップを載せる皿とし、該皿の底面に振動ユニット３０が取り付けてある場合について説明する。
【００２１】
客がテーブル２の前の椅子に着座し、客がコーヒーを注文し、図２に示すように、ウエイターが皿に載せたコーヒーカップをテーブル２の所定位置の置くと、励磁側位置決め部材１３・１３・・・と振動側位置決め部材３２・３２・・・が対向して配置されることにより、互いに引き合って吸着し、位置決めされる。この状態では、励磁コイル１２の上方に振動体３１が位置することとなる。つまり、対向して配置される。この時、音源２１からの音声信号が励磁コイル１２に流れており、または、スイッチ１４がオンして音声または音楽がスタートし、この音声信号により励磁コイル１２の極性の変化が連続的に行われ、振動体３１は音声（音）信号の周波数にあわせて上下に移動（振動）する。この振動体３１の振動が載置物４０となる皿に伝わり、音声（音）が皿より発せられる。例えば、「いらっしゃいませ」「熱いので注意して下さい」等の挨拶や、「本日のランチメニュー」等の宣伝や、音楽が流れるようにする。こうして、思わぬところから音が発生するので、面白さがあり、お客を楽しませることができる。そして、来店客の増加にもつなげることができる。
【００２２】
また、テーブル２の下面には、図２に示すように、複数箇所、励磁ユニット１０・１０・・・を配置することができる。この励磁ユニット１０・１０・・・はそれぞれ励磁側位置決め部材１３・１３・・・の配置位置が異なり、載置物４０に応じて励磁側位置決め部材１３・１３・・・が配置される。つまり、載置物４０は花瓶やコップや料理皿や調味料入等とし、それぞれの底部の形状や大きさが異なるため、励磁側位置決め部材１３・１３・・・及び振動側位置決め部材３２・３２・・・もその底部に合せた位置に固定される。こうして、励磁側位置決め部材１３・１３・・・と振動側位置決め部材３２・３２・・・が一致する所定の位置に載置物４０としての花瓶やコップや料理皿や調味料入等を置くと、それぞれ載置物４０に応じた異なる音が発生するようにしている。
【００２３】
こうして、花瓶やコップや料理皿や調味料入をそれぞれの励磁側位置決め部材１３と振動側位置決め部材３２が合致する位置に置くたびにそれぞれに応じた音声や音楽を流すことが可能となり、宣伝効果や癒し効果やサービス効果を高めることができる。なお、同時に、二ヶ所以上載置物を置くと混合して音が発せられるため聞き取れない場合が発生するので、励磁コイル１２・１２・・・は一つの音源ユニット２０と接続して、載置物の種類に応じて優先順位を定めて、順に音を発するようにしている。また、宣伝や説明は一回聞くと十分であるため一度だけ発するようにし、その他の音が順に発するように構成してもよい。
【００２４】
そして、テーブル２上の皿等の載置物４０の位置を所定位置からずらせることにより、励磁コイル１２と振動体３１の位置が平面視でズレて対向しなくなり、励磁コイル１２からの磁力により振動体３１は振動しなくなる。つまり、載置物４０を所定位置から少し移動させるだけで、音の発生を停止させることができる。こうして、宣伝や音楽等聞きたくない音の場合には、簡単な操作で音の発生を止めることができる。
【００２５】
また、図３に示すように、取付基台１１の同心円上の所定角度ごとに励磁コイル１２を配置し、該励磁コイル１２には異なる音楽信号が流れるようにしておくこともできる。例えば、同心円上に９０度ごとに四ヶ所励磁コイル１２ａ・１２ｂ・１２ｃ・１２ｄを配置し、励磁コイル１２ａにはポップス、励磁コイル１２ｂにはクラッシック、励磁コイル１２ｃにジャズ、励磁コイル１２ｄには演歌などの音楽信号を流すようにし、皿の裏には、同一半径上の所定位置に振動体３１を配置する。
【００２６】
このように構成することにより、客は、皿を回転することにより、振動体３１と対向する励磁コイル１２ａ・１２ｂ・１２ｃ・１２ｄを選択することができ、好みの音楽を選択することができ、楽しむことができる。但し、励磁コイル１２の数に応じて発生させる音の種類も変更でき、その数や配置位置は限定するものではない。
【００２７】
また、レストランや料亭等においては、図５に示すように、取付基台１１に複数の同心円上に、それぞれ所定角度ごとに励磁コイル１２・１２・・・を配置することもでき、異なる音を発生することもできる。例えば、最も中心側に配置される励磁コイル１２ａ１・１２ａ２・１２ａ３・１２ａ４にはコース（料金のランク、高中低、松竹梅等）に応じた前菜の説明、二番目の円上の励磁コイル１２ｂ１・１２ｂ２・１２ｂ３・１２ｂ４にはコースに応じたメインディッシュの説明、三番目の円上の励磁コイル１２ｃ１・１２ｃ２・１２ｃ３・１２ｃ４にはコースに応じたデザートの説明を流すようにするのである。そして、前菜やメインディッシュやデザートを入れる皿（器）の底にはコースに応じた位置に振動体３１を配置しておく。
【００２８】
こうして、皿がテーブル上に置かれるとコースに応じた料理の説明や食材の説明や食べ方等が皿から発せられるようになり、皿が置かれる度に給仕する人に質問する必要がなくなり、給仕するウエイターや仲居さん等は全ての料理の名前や食材を覚える必要もなく、また、一人ひとり説明する必要もなくなり、給仕に係る時間も短縮することができる。
【００２９】
また、励磁コイル１２を励磁側位置決め部材１３・１３・・・に対して、通常の位置と異なる特定の位置に設け、その特定位置に対応する皿の裏に振動体３１を配置することで、特定の音を発するようにすることもできる。例えば、お子様ランチ用の皿を所定の位置に置いた時のみ、童謡等の子供向け音楽が発するようにしたり、誕生日の人にのみに出す皿を用意して、「ハッピーバースデートゥーユー」の音楽を流したりすることもできる。更に、ホテルの部屋のキーホルダや金庫のキーホルダに振動体３１を埋め込んで、カウンタに励磁コイル１２を配置して、部屋の説明や金庫の使用の相方説明が発せられるようにすることもできる。
【００３０】
以上のように、載置台（テーブル２）と、該テーブル２の下面に取り付けられる励磁ユニット１０と該励磁ユニット１０に接続される音源ユニット２０と、載置物４０の下面に取り付けられる振動ユニット３０からなる音発生装置１であって、前記励磁ユニット１０と前記振動ユニット３０が対向して配置された時に載置物４０から音が発生するとともに、励磁ユニット１０と振動ユニット３０にはそれぞれ励磁側位置決め部材１３と振動側位置決め部材３２が配置されるので、載置台ごとに異なる音を発生させることができ、利用者にとっては認証等が不要で、設置者は簡単に音源を提供でき、利用者は簡単に好みの音源を聞くことができる。
【００３１】
そして、載置物４０をテーブル２上の所定位置に載置したときに、位置決め部材１３・３２により振動体３１となる振動用磁石が励磁ユニット１０の上方に確実に位置させることができるようになり、振動体３１と励磁コイル１２の上下方向の位置が一致して確実に音を発生させることができるようになる。そして、その音を聞きたくない場合には、振動体３１の位置をずらすだけで容易に音の発生を停止させることができる。また、載置台がテーブル２のとき、テーブル２・２・・・毎に異なる説明や音楽を流すことが可能となり、聞きたい目的に応じてテーブル２を選択することもできる。例えば、年代ごとにテーブル２を分けて、そのテーブル２に供する音源２１を年代に応じた音楽を流すのである。よって、育った年代に流行った音楽を聴くことができ、違和感のある音楽を聴くようなことをなくすことができる。また、店等に音発生装置１を設置した場合、店に入った時に全体が同じ音楽が流れているわけではなく、各テーブル２で好みの音楽を聴くことができるようになる。
【００３２】
また、前記振動ユニット３０には載置物４０を振動させる振動体３１が備えられ、前記載置台４０の下面には励磁コイル１２が複数異なる位置に配置され、各励磁コイル１２・１２・・・には異なる音信号が入力されるので、励磁コイル１２毎に異なる音楽や音声を発生するようにでき、音の種類に対応する載置物を載置したときに、所定の音を発生させることができ、好みの音源を容易に選択することができる。
【００３３】
また、前記振動ユニット３０には振動体３１が備えられ、該振動体３１は器の底面に固定されるので、食器や花瓶等の器ごとに異なる音を発生させることができるようになり、例えば、器が花瓶や陶磁器の場合には、作者やその価値や作成の歴史等の説明の音声を流すことが可能となり、器が食事用皿の場合、皿に盛られた料理について、食材の種類や調理方法や食べ方等の説明の音声を流すことも可能となる。
【符号の説明】
【００３４】
１    音発生装置
２    テーブル（載置台）
１０  励磁ユニット
１３  励磁側位置決め部材
２０  音源ユニット
３０  振動ユニット
３１  振動体
３２  振動側位置決め部材
４０  載置物
【図１】
0003208893.tif 000003
【図２】
0003208893.tif 000004
【図３】
0003208893.tif 000005
【図４】
0003208893.tif 000006
【図５】
0003208893.tif 000007
【図６】
0003208893.tif 000008